(57)【要約】  【課題】冷蔵温度帯と冷凍温度帯との断熱、シールに対する高い信頼性を低コストで実現できる冷蔵庫を提供する。  【解決手段】冷却器２０と冷却ファン２５を収納し食品貯蔵室と分離する冷却室４２を冷凍温度帯である製氷室４と左区画の冷凍室６と右区画の冷凍室９との背面奥部にまたがって配設するものである。これにより、冷蔵温度帯の区画と冷凍温度帯の区画が完全に分離され、冷却室４２と貯蔵室との仕切りは冷凍温度帯内に構成されるものである。【選択図】図２
2006250424.tif 000002
【特許請求の範囲】
【請求項１】
冷蔵庫本体と、前記本体の上下方向の全高で左右に区分された左区画の上部に構成された冷蔵室と、前記左区画の中央に構成された製氷室と、前記左区画の下部に構成された冷凍室と、前記本体の上下方向の全高で左右に区分された右区画の上部に構成された冷蔵室と、前記右区画の中央に構成された野菜室と、前記右区画の下部に構成された冷凍室とで庫内の収納部を区分し、庫内を冷却する冷却器と庫内に冷気を送風する冷却ファンを備え、前記冷却器と前記冷却ファンを収納し食品貯蔵室と分離する冷却室を冷凍温度帯である前記製氷室と前記左区画の冷凍室と前記右区画の冷凍室の背面奥部に配設することを特徴とする冷蔵庫。
【請求項２】
前記製氷室の冷気戻り口と前記冷却器の下部とを連通する製氷室戻りダクトと前記製氷室の冷気戻り口と前記左区画の冷蔵室及び前記右区画の冷蔵室とを連通する冷蔵室吐出ダクトを備え、前記製氷室戻りダクト内にダンパー装置を配設することを特徴とする請求項１に記載の冷蔵庫。
【請求項３】
前記冷蔵室吐出ダクトをトラップ構造で構成することを特徴とする請求項１または２に記載の冷蔵庫。
【請求項４】
前記冷蔵室吐出ダクト内に前記製氷室から前記左区画の冷蔵室と前記右区画の冷蔵室に冷気を送風する冷蔵室ファンを配設することを特徴とする請求項１から３のいずれか一項に記載の冷蔵庫。
【請求項５】
前記冷蔵室ファンを前記左区画の冷蔵室または前記右区画の冷蔵室の下部に配設することを特徴とする請求項１から４のいずれか一項に記載の冷蔵庫。
【請求項６】
前記野菜室の冷却は、前記野菜室内に冷気を導入せずに、周囲の貯蔵室からの熱伝導のみで冷却することを特徴とする請求項１から５のいずれか一項に記載の冷蔵庫。
【発明の詳細な説明】
【技術分野】
【０００１】
本発明は、冷蔵庫の各貯蔵室の配置及び冷却室の配置及び風路構成に関するものである。
【背景技術】
【０００２】
近年、様々なレイアウトの冷蔵庫が発売されている（例えば、特許文献１参照）。
【０００３】
図８は、特許文献１に記載された従来の冷蔵庫を示すものである。図８に示すように冷蔵庫本体１と、この本体の上部に設けられた冷蔵室７と、冷蔵室の下に設けられた切替室３０と、冷蔵室の下で切替室に並列に設けられた製氷室４と、本体下部に設けられた冷凍室９と、並列に設置された切替室３０及び製氷室４と冷凍室９の間に設けられた野菜室８と、冷気を生成する冷却器２０と、冷気を各室に供給するファン装置２５とを有し、冷凍室９に冷気を供給するための冷凍室吐出ダクト３３と、製氷室４に冷気を供給するための製氷室吐出ダクト３４と、製氷室４から冷気を冷却器２０に戻す製氷室戻りダクト３５と、製氷室吐出ダクト３４を通る冷気の一部を分流させて、切替室３０に送る切替室吐出ダクト３６と、切替室３０から冷気を冷却器２０に戻すための切替室戻りダクト３７と、切替室吐出ダクト３６を通る冷気の一部を分流させて、冷蔵室７に送る冷蔵室吐出ダクト３８と、冷蔵室７に送られた冷気を野菜室８に戻すための冷蔵室戻りダクト３９と、野菜室８に送られた冷気を冷却器２０に戻すための野菜室戻りダクト４０から構成され、ファン装置２５の運転により、冷却器２０で生成された冷気が各々の風路より各貯蔵室に供給され庫内は冷却される。
【特許文献１】特許第３２１２９５４号公報
【発明の開示】
【発明が解決しようとする課題】
【０００４】
しかしながら、上記従来の構成では、冷蔵温度帯である野菜室の背面奥部に冷却器やファン装置を配設するので、野菜室と冷却室との間の仕切り部周囲に結露・着霜を防止するためのシール材やヒータが必要不可欠でありコストがかかるという課題を有していた。また、野菜室と冷却器を断熱する断熱壁の厚みが必要なため、野菜室の奥行方向のスペースが減少し、食品の収納量が少なくなるという課題を有していた。
【０００５】
また、冷却器から冷蔵室への風路が複雑なため、冷蔵室に送風される冷気の流量が制限され、高負荷時に冷蔵室の冷えが鈍くなるという課題を有していた。
【０００６】
本発明は、上記従来の課題を解決するもので、冷蔵温度帯と冷凍温度帯との断熱、シールに対する高い信頼性を低コストで実現でき、高負荷時にも各貯蔵室を十分に冷却することのできる冷蔵庫を提供することを目的とする。
【課題を解決するための手段】
【０００７】
上記従来の課題を解決するために、本発明の冷蔵庫は、冷蔵庫本体と、前記本体の上下方向の全高で左右に区分された左区画の上部に構成された冷蔵室と、前記左区画の中央に構成された製氷室と、前記左区画の下部に構成された冷凍室と、前記本体の上下方向の全高で左右に区分された右区画の上部に構成された冷蔵室と、前記右区画の中央に構成された野菜室と、前記右区画の下部に構成された冷凍室とで庫内の収納部を区分し、庫内を冷却する冷却器と庫内に冷気を送風する冷却ファンを備え、前記冷却器と前記冷却ファンを収納し食品貯蔵室と分離する冷却室を冷凍温度帯である前記製氷室と前記左区画の冷凍室と前記右区画の冷凍室の背面奥部に配設するものである。
【０００８】
これにより、冷蔵温度帯の区画と冷凍温度帯の区画が完全に分離され、冷却室と貯蔵室との仕切りは冷凍温度帯内に構成される。
【発明の効果】
【０００９】
本発明の冷蔵庫は、冷蔵温度帯と冷凍温度帯との断熱、シールに対する高い信頼性を低コストで実現でき、野菜室の奥行方向のスペースを十分に確保でき、食品の収納量を多くすることができる。
【発明を実施するための最良の形態】
【００１０】
請求項１に記載の発明は、冷蔵庫本体と、前記本体の上下方向の全高で左右に区分された左区画の上部に構成された冷蔵室と、前記左区画の中央に構成された製氷室と、前記左区画の下部に構成された冷凍室と、前記本体の上下方向の全高で左右に区分された右区画の上部に構成された冷蔵室と、前記右区画の中央に構成された野菜室と、前記右区画の下部に構成された冷凍室とで庫内の収納部を区分し、庫内を冷却する冷却器と庫内に冷気を送風する冷却ファンを備え、前記冷却器と前記冷却ファンを収納し食品貯蔵室と分離する冷却室を冷凍温度帯である前記製氷室と前記左区画の冷凍室と前記右区画の冷凍室の背面奥部に配設するものであり、冷蔵温度帯の区画と冷凍温度帯の区画が完全に分離され、冷却室と貯蔵室との仕切りは冷凍温度帯内に構成されるので、冷蔵温度帯と冷凍温度帯との断熱、シールに対する高い信頼性を低コストで実現でき、野菜室の奥行方向のスペースを十分に確保でき、食品の収納量を多くすることができる。
【００１１】
請求項２に記載の発明は、請求項１に記載の発明において、前記製氷室の冷気戻り口と前記冷却器の下部とを連通する製氷室戻りダクトと前記製氷室の冷気戻り口と前記左区画の冷蔵室及び前記右区画の冷蔵室とを連通する冷蔵室吐出ダクトを備え、前記製氷室戻りダクト内にダンパー装置を配設するものであり、ダンパー装置は、冷蔵温度帯と冷凍温度帯の境界ではなく、冷凍温度帯内に配設され、常時低温低湿の雰囲気に置かれ、ダンパー装置の着霜を防止することができる。
【００１２】
請求項３に記載の発明は、請求項１または２に記載の発明において、前記冷蔵室吐出ダクトをトラップ構造で構成するものであり、冷却ファンが運転停止しているとき、冷蔵室吐出ダクト内での冷蔵室側の空気と製氷室側の空気との対流が抑制され、冷蔵室吐出ダクト内の着霜を防止することができる。
【００１３】
請求項４に記載の発明は、請求項１から３のいずれか一項に記載の発明において、前記冷蔵室吐出ダクト内に前記製氷室から前記左区画の冷蔵室と前記右区画の冷蔵室に冷気を送風する冷蔵室ファンを配設するものであり、製氷室から冷蔵室吐出ダクトを通り冷蔵室内へ吐出する冷気の流量を増加することができ、高負荷時においても冷蔵室を十分に設定温度に保つことができる。
【００１４】
請求項５に記載の発明は、請求項１から４のいずれか一項に記載の発明において、前記冷蔵室ファンを前記左区画の冷蔵室または前記右区画の冷蔵室の下部に配設するものであり、冷蔵室吐出ダクトを左右に分流し、冷蔵室の背面の左右から冷気を吐出させることが可能となり、冷蔵室内の温度分布を均一にし、収納食品の保鮮性を向上することができる。
【００１５】
請求項６に記載の発明は、請求項１から５のいずれか一項に記載の発明において、前記野菜室の冷却は、前記野菜室内に冷気を導入せずに、周囲の貯蔵室からの熱伝導のみで冷却するものであり、絶対湿度の低い空気が野菜室内に入らないので、野菜室内を高湿度に保ち、生鮮野菜の保鮮性を向上することができる。
【００１６】
以下、本発明による冷蔵庫の実施の形態について、図面を参照しながら説明する。なお、この実施の形態によってこの発明が限定されるものではない。
【００１７】
（実施の形態１）
以下、本発明の実施の形態１を図１及び図２に基づいて説明する。図１は本発明の実施の形態１における冷蔵庫の正面図、図２は本発明の実施の形態１における冷蔵庫の断熱箱体の正面図である。
【００１８】
図１に示すように、１は冷蔵庫本体であり、冷蔵庫本体１は、上下方向の全高で左右に分断された左区画２と、右区画３に区画されている。左区画２は中央付近に製氷室４が配置され、製氷室４の上方には引出し扉で構成された冷蔵スライド室５を、製氷室４の下方には引出し扉で構成された冷凍スライド室６が配置されている。
【００１９】
一方、右区画３には、上から冷蔵室７、野菜室８、冷凍室９が配置されていて、それぞれの部屋の前面開口は扉により塞がれている。なお、冷蔵スライド室５と冷蔵室７は上下方向の同一線上で区画されているが、冷蔵スライド室５の高さと、冷蔵室７の高さが違う、すなわち段差がつくよう構成されていても構わない。
【００２０】
図２において、２１は第１の仕切り壁であり、冷蔵スライド室５及び冷蔵室７と製氷室４及び野菜室８を仕切っている。２２は第２の仕切り壁であり、製氷室４と冷凍スライド室６を仕切っている。２３は第３の仕切り壁であり、野菜室８と冷凍室９を仕切っている。２４は第４の仕切り壁であり、製氷室４及び冷凍スライド室６と野菜室８及び冷凍室９を仕切っている。第２の仕切り壁２２と第４の仕切り壁２４の冷凍スライド室６と冷凍室９の間は、同一温度帯であり断熱材は無くてもよい。
【００２１】
２０は冷却器であり、冷凍スライド室６と冷凍室９の奥に設置される。２５は冷却ファンであり、製氷室４または冷凍スライド室６の奥に配設され、冷却器２０で発生した冷気を庫内に循環させる。冷却ファン２５と冷却器２０で構成される冷却室４２は、製氷室４と冷凍スライド室６と冷凍室９の奥に配設される。
【００２２】
風路は、製氷室４に冷気を供給するための製氷室吐出ダクト３４と、製氷室４から冷気を冷却器２０に戻す製氷室戻りダクト３５と、製氷室吐出ダクト３４と直結し冷蔵室７に冷気を送る冷蔵室吐出ダクト３８と、冷蔵室７に送られた冷気を野菜室８に戻すための冷蔵室戻りダクト３９と、野菜室８に送られた冷気を冷却器２０に戻すための野菜室戻りダクト４０から構成され、ファン装置２５の運転により、冷却器２０で生成された冷気が各々の風路より各貯蔵室に供給され庫内は冷却される。冷蔵室吐出ダクト３８内には、ダンパー装置４１が配設され冷蔵室７へ供給する冷気を調節し、冷蔵室７を所定の温度に保つ。
【００２３】
以上のように、本実施の形態においては、第１の仕切り壁２１と第３の仕切り壁２３と第４の仕切り壁２４により、冷蔵温度帯の区画と冷凍温度帯の区画が完全に分離され、冷却室４２及び冷却室４２と貯蔵室との仕切り（図示せず）は冷凍温度帯内にのみ構成されるので、冷蔵温度帯と冷凍温度帯との断熱、シールに対する高い信頼性を低コストで実現することができる。また、野菜室の奥部には、冷蔵室戻りダクト３９と野菜室戻りダクト４０とが配設されるのみであり、奥行方向のスペースを十分に確保でき、食品の収納量を多くすることができる。
【００２４】
（実施の形態２）
以下本発明の実施の形態２を、図３に基づいて説明する。図３は本発明の実施の形態２における冷蔵庫の断熱箱体の正面図である。
【００２５】
図３に示すように、冷蔵室吐出ダクト３８は製氷室戻りダクト３５と直結しており、ダンパー装置４１は製氷室戻りダクト３５内に配設されている。冷蔵室７に冷気を送る場合は、ダンパー装置４１が閉じている場合、製氷室４内の冷気は冷蔵室吐出ダクト３８を通り冷蔵室７に供給される。また、ダンパー装置４１が開いている場合、製氷室４内の冷気は冷蔵室吐出ダクト３８内と製氷室戻りダクト３５内の圧力差により、製氷室戻りダクト３５から冷却器２０へ導かれ冷蔵室７へは流れない。
【００２６】
以上のように、本実施の形態においては、ダンパー装置４１は、冷蔵室吐出ダクト３８内の冷蔵温度帯と冷凍温度帯の境界ではなく、製氷室戻りダクト３５内の冷凍温度帯内に配設され、常時低温低湿の雰囲気に置かれるので、ダンパー装置４１の着霜による動作不良を防止することができる。
【００２７】
（実施の形態３）
以下本発明の実施の形態３を、図４に基づいて説明する。図４は本発明の実施の形態３における冷蔵庫の断熱箱体の正面図である。
【００２８】
図４に示すように、冷蔵室吐出ダクト３８内には、トラップ構造４３が構成されている。冷却ファン２５が運転を停止しているとき、冷蔵室７と製氷室４の圧力差により、冷蔵室吐出ダクト３８の冷蔵室７開口部から、冷蔵室吐出ダクト３８内に高湿度の空気が流入する。高湿度の空気は比重が重いためトラップ構造４３の右側下部まで到達するが、トラップ構造４３の左側上部は乗り越えられないため、冷蔵室７から製氷室４への空気の対流は抑制され、冷蔵室吐出ダクト３８内の着霜による冷蔵室７の不冷を防止することができる。
【００２９】
（実施の形態４）
以下本発明の実施の形態４を、図５に基づいて説明する。図５は本発明の実施の形態４における冷蔵庫の断熱箱体の正面図である。
【００３０】
図５に示すように、冷蔵室吐出ダクト３８内には、冷蔵室ファン４４が配設されている。冷蔵室ファン４４は、ダンパー装置４１の状態と連動し、ダンパー装置４１が閉の状態のときに運転を行う。冷蔵室７側の風路は、冷却ファン２５→製氷室吐出ダクト３４→製氷室４→冷蔵室吐出ダクト３８→冷蔵室７→冷蔵室戻りダクト３９→野菜室８→野菜室戻りダクト４０→冷却器２０という非常に長く抵抗が大きいため、夏場の高温高湿条件でドア開閉等の負荷が大きく、冷却器２０が多量の霜で覆われるような場合、冷却ファン２５から冷蔵室７へ送風される冷気の流量が大幅に減少してしまうが、冷蔵室ファン４４の運転により風量の減少を抑え冷蔵室７を所定の温度に保つことが可能である。
【００３１】
（実施の形態５）
以下本発明の実施の形態５を、図６に基づいて説明する。図６は本発明の実施の形態５における冷蔵庫の断熱箱体の正面図である。
【００３２】
図６に示すように、冷蔵室ファン４４は冷蔵室吐出ダクト３８内の下部に配設されている。冷蔵室吐出ダクト３８は、冷蔵室ファン４４の上部で冷蔵室７内の左右に分流して最上部に到達する。左右に分流した冷蔵室吐出ダクト３８には、冷蔵室７内への複数の開口部が設けられている。以上のように、冷蔵室７の左右上部より冷気が吐出されるので、冷蔵室７内の温度分布を均一にし、収納食品の保鮮性を向上することができる。
【００３３】
（実施の形態６）
以下本発明の実施の形態６を、図７に基づいて説明する。図７は本発明の実施の形態６における冷蔵庫の断熱箱体の正面図である。
【００３４】
図７に示すように、冷蔵室戻りダクト３９は、野菜室８内に開口せずに直接冷却器２０の下部に連結している。野菜室８の冷却は、第１の仕切り壁２１と第３の仕切り壁２３と第４の仕切り壁２４とを介し、冷蔵室７と製氷室４と冷凍スライド室６と冷凍室９からの熱伝導により冷却される。また、冷蔵室戻りダクト３９の野菜室８内表面からの熱伝導も利用できる。さらに、第１の仕切り壁２１と冷蔵室戻りダクト３９を金属板で構成するとその効果は大きい。以上のような冷却方式により、野菜室８内には冷却器２０から供給される乾燥した空気が流入しないので、庫内を高湿に保つことが可能であり、生鮮野菜の保鮮性を向上することができる。
【産業上の利用可能性】
【００３５】
以上のように、本発明にかかる冷蔵庫は、冷蔵温度帯と冷凍温度帯との断熱、シールに対する高い信頼性を低コストで実現できるので、複数の温度帯と複数の貯蔵室を有する冷凍冷蔵機器にも適用できる。
【図面の簡単な説明】
【００３６】
【図１】本発明の実施の形態１における冷蔵庫の正面図
【図２】本発明の実施の形態１における冷蔵庫の断熱箱体の正面図
【図３】本発明の実施の形態２における冷蔵庫の断熱箱体の正面図
【図４】本発明の実施の形態３における冷蔵庫の断熱箱体の正面図
【図５】本発明の実施の形態４における冷蔵庫の断熱箱体の正面図
【図６】本発明の実施の形態５における冷蔵庫の断熱箱体の正面図
【図７】本発明の実施の形態６における冷蔵庫の断熱箱体の正面図
【図８】従来の冷蔵庫の風路を示す正面図
【符号の説明】
【００３７】
１  冷蔵庫本体
２  左区画
３  右区画
４  製氷室
５  冷蔵スライド室
６  冷凍スライド室
７  冷蔵室
８  野菜室
９  冷凍室
２０  冷却器
２１  第１の仕切り壁
２２  第２の仕切り壁
２３  第３の仕切り壁
２４  第４の仕切り壁
２５  冷却ファン
３４  製氷室吐出ダクト
３５  製氷室戻りダクト
３８  冷蔵室吐出ダクト
３９  冷蔵室戻りダクト
４０  野菜室戻りダクト
４１  ダンパー装置
４２  冷却室
４３  トラップ構造
４４  冷蔵室ファン
【図１】
2006250424.tif 000003
【図２】
2006250424.tif 000004
【図３】
2006250424.tif 000005
【図４】
2006250424.tif 000006
【図５】
2006250424.tif 000007
【図６】
2006250424.tif 000008
【図７】
2006250424.tif 000009
【図８】
2006250424.tif 000010